(57)【特許請求の範囲】
【請求項１】
バンド取付部が設けられたケースと、
このケースの前記バンド取付部に端部が配置されるバンドと、
前記ケースが裏面を下に向けて落下した際に衝撃を緩和し、前記バンドに比べて剛性が高く弾力性のある合成樹脂で形成され、前記バンドの前記端部を保持して前記バンド取付部に配置される緩衝部材と、
前記バンドの前記端部および前記緩衝部材を前記バンド取付部に取り付ける連結部材と、
前記連結部材を中心に前記バンドが押し広げられる方向に回転する際に、前記緩衝部材と共に前記バンド取付部に対して回転し、前記バンド取付部に対する前記緩衝部材の回転を徐々に重くするように制動する制動部と、
を備え、
前記制動部は、前記緩衝部材に設けられた第１傾斜部と、前記バンド取付部に設けられて前記第１傾斜部が接離可能に圧接摺動する第２傾斜部とを備えていることを特徴とする腕時計。
【請求項２】
バンド取付部が設けられたケースと、
このケースの前記バンド取付部に端部が配置されるバンドと、
前記ケースが裏面を下に向けて落下した際に衝撃を緩和し、前記バンドに比べて剛性が高く弾力性のある合成樹脂で形成され、前記バンドの前記端部を保持して前記バンド取付部に配置される緩衝部材と、
前記バンドの前記端部および前記緩衝部材を前記バンド取付部に取り付ける連結部材と、
前記連結部材を中心に前記バンドが押し広げられる方向に回転する際に、前記緩衝部材と共に前記バンド取付部に対して回転し、前記バンド取付部に対する前記緩衝部材の回転を徐々に重くするように制動する制動部と、
を備え、
前記制動部は、前記連結部材の近傍に位置する個所の前記緩衝部材に設けられた第１突起部と、前記連結部材の近傍に位置する個所の前記バンド取付部に設けられて前記第１突起部が接離可能に乗り上げる第２突起部とを備えていることを特徴とする腕時計。
【請求項３】
バンド取付部が設けられたケースと、
このケースの前記バンド取付部に端部が配置されるバンドと、
前記ケースが裏面を下に向けて落下した際に衝撃を緩和し、前記バンドに比べて剛性が高く弾力性のある合成樹脂で形成され、前記バンドの前記端部を保持して前記バンド取付部に配置される緩衝部材と、
前記バンドの前記端部および前記緩衝部材を前記バンド取付部に取り付ける連結部材と、
前記ケースの裏面を下に向けて落下した際に前記連結部材を中心に前記緩衝部材が前記バンド取付部に対して回転し、前記バンド取付部に対する前記緩衝部材の回転を徐々に重くするように制動する制動部と、
を備え、
前記制動部は、前記緩衝部材に設けられた第１傾斜部と、前記バンド取付部に設けられて前記第１傾斜部が接離可能に圧接摺動する第２傾斜部とを備えていることを特徴とする腕時計。
【請求項４】
バンド取付部が設けられたケースと、
このケースの前記バンド取付部に端部が配置されるバンドと、
前記ケースが裏面を下に向けて落下した際に衝撃を緩和し、前記バンドに比べて剛性が高く弾力性のある合成樹脂で形成され、前記バンドの前記端部を保持して前記バンド取付部に配置される緩衝部材と、
前記バンドの前記端部および前記緩衝部材を前記バンド取付部に取り付ける連結部材と、
前記ケースの裏面を下に向けて落下した際に前記連結部材を中心に前記緩衝部材が前記バンド取付部に対して回転し、前記バンド取付部に対する前記緩衝部材の回転を徐々に重くするように制動する制動部と、
を備え、
前記制動部は、前記連結部材の近傍に位置する個所の前記緩衝部材に設けられた第１突起部と、前記連結部材の近傍に位置する個所の前記バンド取付部に設けられて前記第１突起部が接離可能に乗り上げる第２突起部とを備えていることを特徴とする腕時計。
【請求項５】
請求項１〜請求項４のいずれかに記載の腕時計において、前記緩衝部材は、前記バンド取付部と前記バンドの前記端部における両側部との間に挟まる一対のアーム部と、これら一対のアーム部が前記バンド取付部から突出する端部同士を連結する連結部とを有し、前記一対のアーム部および前記連結部が前記バンド取付部から斜め下側に向けて突出していることを特徴とする腕時計。
【発明の詳細な説明】
【技術分野】
【０００１】
この発明は、腕時計に関する。
【背景技術】
【０００２】
例えば、腕時計においては、特許文献１に記載されているように、腕時計ケースに設けられたバンド取付部に時計バンドを取り付ける際に、時計バンドの先端駒をバンド取付部に連結ピンによって取り付けると共に、ねじ部材によっても取り付け、この先端駒に時計バンドの端部を他の連結ピンによって取り付けるように構成したバンド取付構造が知られている。
【先行技術文献】
【特許文献】
【０００３】
【特許文献１】特開２０００−３３００４号公報
【発明の概要】
【発明が解決しようとする課題】
【０００４】
このような腕時計のバンド取付構造では、時計バンドの先端駒を腕時計ケースのバンド取付部に連結ピンによって取り付けると共に、ねじ部材によっても取り付けているため、時計バンドの先端駒が腕時計ケースのバンド取付部に固定された状態で取り付けられることになる。
【０００５】
このため、このようなバンド取付構造では、腕時計ケースがその裏面を下にして落下した際に、その落下による衝撃が時計バンドおよび先端駒に加わり、時計バンドと先端駒との連結部分が破損したり、あるいは先端駒に加わった衝撃がそのまま腕時計ケースに伝わって、腕時計ケース内の時計モジュールが破損したりする恐れがある。
【０００６】
この発明が解決しようとする課題は、落下などの衝撃を緩和して、バンドやケースに対する衝撃による影響を軽減することができる腕時計を提供することである。
【課題を解決するための手段】
【０００７】
この発明は、バンド取付部が設けられたケースと、このケースの前記バンド取付部に端部が配置されるバンドと、前記ケースが裏面を下に向けて落下した際に衝撃を緩和し、前記バンドに比べて剛性が高く弾力性のある合成樹脂で形成され、前記バンドの前記端部を保持して前記バンド取付部に配置される緩衝部材と、前記バンドの前記端部および前記緩衝部材を前記バンド取付部に取り付ける連結部材と、前記連結部材を中心に前記バンドが押し広げられる方向に回転する際に、前記緩衝部材と共に前記バンド取付部に対して回転し、前記バンド取付部に対する前記緩衝部材の回転を徐々に重くするように制動する制動部と、を備え、前記制動部は、前記緩衝部材に設けられた第１傾斜部と、前記バンド取付部に設けられて前記第１傾斜部が接離可能に圧接摺動する第２傾斜部とを備えていることを特徴とする腕時計である。
【発明の効果】
【０００８】
この発明によれば、ケースがその裏面を下に向けて落下して、その衝撃がバンドの端部およびこの端部を保持する緩衝部材に加わった際に、その衝撃を緩衝部材によって緩衝することができるので、バンドやケースに対する衝撃による影響を軽減することができる。
【図面の簡単な説明】
【０００９】
【図１】この発明を腕時計に適用した第１実施形態を示した拡大正面図である。
【図２】図１に示された腕時計を示した要部の拡大斜視図である。
【図３】図２に示された腕時計の要部を分解して示した拡大斜視図である。
【図４】図１に示された腕時計のＡ−Ａ矢視における拡大断面図である。
【図５】図１に示された腕時計のＢ−Ｂ矢視における拡大断面図である。
【図６】図４に示された腕時計において、時計バンドを取り除いた状態を示した要部の拡大断面図である。
【図７】この発明を腕時計に適用した第２実施形態における要部を示した拡大正面図である。
【図８】図７に示された腕時計の要部を示した拡大斜視図である。
【図９】図８に示された腕時計の要部を分解して示した拡大斜視図である。
【図１０】図７に示された腕時計のＣ−Ｃ矢視における拡大断面図である。
【図１１】図７に示された腕時計のＤ−Ｄ矢視における拡大断面図である。
【図１２】図８に示された腕時計のＥ−Ｅ矢視において、バンド取付構造を破断して示した要部の拡大斜視図である。
【図１３】第２実施形態のバンド取付構造の変形例において、その要部を分解して示した拡大斜視図である。
【図１４】図１３に示しされた腕時計のＦ−Ｆ矢視において、バンド取付構造を破断して示した要部の拡大斜視図である。
【図１５】図１４に示されたバンド取付構造の制動部を示し、（ａ）は緩衝部材の第１突起部を示した拡大斜視図、（ｂ）は図１４に示されたＡ部を示した拡大断面図である。
【発明を実施するための形態】
【００１０】
（第１実施形態）
以下、図１〜図６を参照して、この発明を腕時計に適用した第１実施形態について説明する。
この腕時計は、図１〜図４に示すように、腕時計ケース１を備えている。この腕時計ケース１は、硬質の合成樹脂からなるケース本体２と、このケース本体２の外周面に設けられたウレタン樹脂などの軟質の合成樹脂からなるベゼル３とを有している。このベゼル３は、ケース本体２の外周面を覆った状態で複数のビス３ａによってケース本体２の外周面に取り付けられるように構成されている。
【００１１】
この腕時計ケース１の上部開口部、つまりケース本体２の上部開口部には、図４に示すように、時計ガラス４がパッキン４ａを介して取り付けられている。この腕時計ケース１の下部、つまりケース本体２の下部には、裏蓋５が防水リング５ａを介して取り付けられている。また、この腕時計ケース１の内部、つまりケース本体２の内部には、時計モジュール６が設けられている。
【００１２】
この時計モジュール６は、時計ムーブメントおよびこの時計ムーブメントを駆動するための回路基板などの時計機能に必要な各種の部品を備えている。この場合、時計ムーブメントは、図４に示すように、指針軸６ａを回転させて指針６ｂを時計モジュール６上に配置された文字板６ｃの上方で運針させることにより、時刻を指示表示するように構成されている。
【００１３】
また、この腕時計ケース１の３時側および９時側に位置する個所には、図１〜図３に示すように、スイッチ部７がそれぞれ設けられている。さらに、この腕時計ケース１の１２時および６時に位置する個所には、バンド取付部８がそれぞれ設けられている。このバンド取付部８は、腕時計ケース１に設けられた一対の取付突起部９を備え、これら一対の取付突起部９間に時計バンド１０の端部１０ａが配置された状態で取り付けられるように構成されている。
【００１４】
この場合、時計バンド１０は、ウレタン樹脂などの軟質の合成樹脂によって形成されている。一対の取付突起部９は、図３および図５に示すように、ケース本体２に設けられた本体突起部９ａと、ベゼル３に設けられてケース本体２の本体突起部９ａを覆うベゼル突起部９ｂとを有している。
【００１５】
また、これら一対の取付突起部９には、図３および図５に示すように、連結部材１１が挿入する取付孔１２が同一軸上に対応して設けられている。この連結部材１１は、雌ねじ部１３ａが設けられた第１ねじ部１３と、この第１ねじ部１３の雌ねじ部１３ａに螺合する雄ねじ部１４ａを有する第２ねじ部１４とを有している。
【００１６】
これにより、一対の取付突起部９の各取付孔１２は、図３および図５に示すように、ケース本体２の本体突起部９ａに設けられて第１ねじ部１３が挿入する本体取付孔１２ａと、ベゼル３のベゼル突起部９ｂに設けられて第１、第２の各ねじ部１３、１４の各頭部１３ｂ、１４ｂがそれぞれ挿入するベゼル取付孔１２ｂとを有している。
【００１７】
これに伴って、時計バンド１０の端部１０ａには、図３および図５に示すように、連結部材１１が挿入するピン挿入孔１５が時計バンドの長手方向に対して直交する方向に貫通して設けられている。すなわち、このピン挿入孔１５は、時計バンド１０の端部１０ａがバンド取付部８の一対の取付突起部９間に配置された際に、一対の取付突起部９の各取付孔１２と同一軸上に対応して配置されるように構成されている。
【００１８】
このように、腕時計ケース１に時計バンド１０を取り付けるバンド取付構造は、図１〜図６に示すように、時計バンド１０の端部１０ａを保持してバンド取付部８の一対の取付突起部９間に配置される緩衝部材１６を備えている。この緩衝部材１６は、図３および図６に示すように、一対の取付突起部９の各対向面から外部に向けて斜め下側に傾斜して延びる各アーム部１７と、これらアーム部１７の外部側に位置する各端部を連結する連結部１８とを有し、これら全体がほぼコ字形状に形成されている。
【００１９】
この場合、緩衝部材１６は、ポリアミド（ＰＡ）などの剛性が高く、弾力性を有する合成樹脂によって形成されている。この緩衝部材１６の各アーム部１７は、図５および図６に示すように、一対の取付突起部９と時計バンド１０の端部１０ａの両側部との間に位置する個所が肉厚の薄い薄肉部１７ａに形成され、これ以外の個所が肉厚の厚い厚肉部１７ｂに形成され、この厚肉部１７ｂが一対の取付突起部９の外部に配置されるように形成されている。
【００２０】
各アーム部１７の各薄肉部１７ａには、図３および図６に示すように、一対の取付突起部９の取付孔１２と時計バンド１０の端部１０ａのピン挿入孔１５とにそれぞれ同一軸上で対応するアーム取付孔１９が設けられている。これにより、各アーム部１７の各薄肉部１７ａは、一対の取付突起部９の対向面、つまりケース本体２の本体突起部９ａと、時計バンドの端部１０ａの両側面との間に挟み付けられ、この状態で相対的に回転するように構成されている。
【００２１】
また、これら各アーム部１７の各厚肉部１７ｂには、図３および図６に示すように、ばね棒２０が取り付けられるピン取付孔２１がそれぞれ設けられている。すなわち、このピン取付孔２１は、時計バンド１０の端部１０ａに設けられてばね棒２０が挿入する連結孔２２に対応して設けられている。
【００２２】
この場合、ばね棒２０は、図３に示すように、パイプ部２０ａ内にその両端部から出没可能に突出する一対のピン部２０ｂが設けられ、この状態でパイプ部２０ａ内に配置されたコイルばね（図示せず）のばね力によって一対のピン部２０ｂが弾力的に押し出されるように構成されている。
【００２３】
これにより、ばね棒２０は、図３に示すように、そのパイプ部２０ａが時計バンド１０の端部１０ａの連結孔２２内に挿入し、一対のピン部２０ｂが各アーム部１７における各厚肉部１７ｂの各ピン取付孔２１に挿入することにより、時計バンド１０の端部１０ａに緩衝部材１６を取り付けるように構成されている。
【００２４】
一方、緩衝部材１６の連結部１８は、図２および図６に示すように、バンド取付部８から斜め下側に延びた各アーム部１７の端部同士を連結するものであり、時計バンド１０の上面に配置されるように構成されている。これにより、連結部１８は、時計バンド１０の端部１０ａがばね棒２０によって各アーム部１７に取り付けられた際に、このばね棒２０と共に時計バンド１０の端部１０ａを挟み付けて保持するように構成されている。
【００２５】
ところで、このようなバンド取付構造は、図３および図５に示すように、連結部材１１を中心に緩衝部材１６が回転する際に、緩衝部材１６の回転を制動する制動部２５を備えている。この制動部２５は、各アーム部１７の各薄肉部１７ａと各厚肉部１７ｂとの境界部に設けられた各第１傾斜部２５ａと、これら各第１傾斜部２５ａが対面する一対の取付突起部９における各本体突起部９ａの個所に設けられて各第１傾斜部２５ａが接離可能に圧接摺動するオーバーハング形状の各第２傾斜部２５ｂとを備えている。
【００２６】
これにより、制動部２５は、図３および図５に示すように、時計バンド１０が連結部材１１を中心に押し広げられる方向に回転する際に、各アーム部１７の各第１傾斜部２５ａが一対の取付突起部９の各第２傾斜部２５ｂに沿って徐々に押し付けられながら圧接摺動することにより、緩衝部材１６の回転を徐々に重くするように制動すると共に、時計バンド１０の回転をも制動するように構成されている。
【００２７】
また、このバンド取付構造は、図３および図６に示すように、連結部材１１を中心に緩衝部材１６が回転する際に、その回転範囲を規制する回転規制部２３を備えている。この回転規制部２３は、緩衝部材１６の各アーム部１７の先端部、つまり各アーム部１７の薄肉部１７ａの外周部に設けられた上下一対の規制突起部２３ａ、２３ｂと、これら上下一対の規制突起部２３ａ、２３ｂが回転移動する移動軌跡上に位置する個所のケース本体２に設けられた当接突起部２３ｃと、を備えている。
【００２８】
これにより、回転規制部２３は、図６に示すように、連結部材１１を中心に緩衝部材１６が時計バンド１０の端部１０ａと共に押し上げられる方向（図６において反時計回り方向）に回転した際に、各アーム部１７の薄肉部１７ａにおける上側に位置する規制突起部２３ａがケース本体２の当接突起部２３ｃに上側から当接することにより、緩衝部材１６の押し上げ方向への回転を規制して、時計バンド１０の回転を規制するように構成されている。
【００２９】
また、この回転規制部２３は、図６に示すように、連結部材１１を中心に緩衝部材１６が時計バンド１０の端部１０ａと共に押し下げられる方向（図６において時計回り方向）に回転した際に、各アーム部１７の薄肉部１７ａにおける下側に位置する規制突起部２３ｂがケース本体２の当接突起部２３ｃに下側から当接することにより、緩衝部材１６の押し下げ方向への回転を規制して、時計バンド１０の回転を規制するように構成されている。
【００３０】
次に、このような腕時計におけるバンド取付構造の作用について説明する。
まず、腕時計ケース１に時計バンド１０を取り付ける場合には、予め、腕時計ケース１のケース本体２に時計ガラス４、時計モジュール６、および裏蓋５を組み付け、この状態でケース本体２の外周面にベゼル３を取り付ける。
【００３１】
このときには、ケース本体２の外周面にベゼル３を配置して、ケース本体２の外周面をベゼル３で覆い、この状態で複数のビス３ａによってベゼル３をケース本体２の外周面に固定する。これにより、ケース本体２の本体突起部９ａがベゼル３のベゼル突起部９ｂで覆われることにより、一対の取付突起部９を備えたバンド取付部８が腕時計ケース１に形成されている。
【００３２】
この状態で、まず、時計バンド１０の端部１０ａに緩衝部材１６を取り付ける。このときには、時計バンド１０の端部１０ａの連結孔２２にばね棒２０のパイプ部２０ａを挿入させて、一対のピン部２０ｂをコイルばね（図示せず）のばね力に抗してパイプ部２０ａ内に押し込み、この状態で緩衝部材１６の連結部１８を時計バンド１０の上面に配置して、緩衝部材１６の各アーム部１７を時計バンド１０の端部１０ａの両側面に対応させる。
【００３３】
そして、各アーム部１７の各厚肉部１７ｂに設けられたピン取付孔２１を時計バンド１０の端部１０ａの連結孔２２に対応させる。すると、ばね棒２０の一対のピン部２０ｂがコイルばね（図示せず）のばね力によって押し出されて、各アーム部１７のピン取付孔２１に挿入される。これにより、緩衝部材１６の連結部１８とばね棒２０との間に時計バンド１０を挟み付けて保持した状態で、緩衝部材１６が時計バンド１０の端部１０ａに取り付けられる。
【００３４】
この後、時計バンド１０の端部１０ａを緩衝部材１６と共に腕時計ケース１に設けられたバンド取付部８の一対の取付突起部９間に配置する。このときには、緩衝部材１６の各アーム部１７における各薄肉部１７ａを一対の取付突起部９の各本体突起部９ａと時計バンド１０の端部１０ａの両側面との間に配置させて、各薄肉部１７ａの各アーム取付孔１９、一対の取付突起部９の各取付孔１２、および時計バンド１０の端部１０ａのピン挿入孔１５を同一軸上に対応させる。
【００３５】
そして、連結部材１１によって時計バンド１０を緩衝部材１６と共に腕時計ケース１のバンド取付部８に取り付ける。このときには、連結部材１１の第１ねじ部１３を一対の取付突起部９の各取付孔１２の一方から緩衝部材１６の一方のアーム部１７のアーム取付孔１９に挿入させ、この挿入した第１ねじ部１３の雌ねじ部１３ａを時計バンド１０のピン挿入孔１５、緩衝部材１６の他方のアーム部１７のアーム取付孔１９、および一対の取付突起部９の各取付孔１２の他方に挿入させる。
【００３６】
この状態で、連結部材１１の第２ねじ部１４の雄ねじ部１４ａを第１ねじ部１３の雌ねじ部１３ａに螺合させて締め付ける。これにより、緩衝部材１６の各アーム部１７の各薄肉部１７ａが、時計バンド１０の端部１０ａの両側面とバンド取付部８の各本体突起部９ａとの間に、弾力をもって押し付けられ、この状態で時計バンド１０の端部１０ａが緩衝部材１６と共に腕時計ケース１のバンド取付部８に取り付けられる。
【００３７】
このように時計バンド１０が取り付けられた腕時計ケース１がその裏面を下に向けて落下した際には、その落下による衝撃によって時計バンド１０が連結部材１１を中心に押し広げられるように回転する。このときには、緩衝部材１６も時計バンド１０と共に回転し、この緩衝部材１６によって落下による衝撃が緩和される。
【００３８】
すなわち、図４に示す状態で、時計バンド１０が連結部材１１を中心に押し広げられるように回転する際には、緩衝部材１６がその連結部１８とばね棒２０との間に時計バンド１０を挟んで保持しているので、時計バンド１０と共に緩衝部材１６も連結部材１１を中心に回転する。
【００３９】
このときには、緩衝部材１６の各アーム部１７における各薄肉部１７ａが一対の取付突起部９の各本体突起部９ａと時計バンド１０の端部１０ａにおける両側面との間に挟まれ、この状態で各アーム部１７の各薄肉部１７ａが連結部材１１を中心に回転するので、制動部２５によって緩衝部材１６の回転が制動される。
【００４０】
すなわち、この制動部２５は、時計バンド１０が連結部材１１を中心に押し広げられる方向に回転する際に、各アーム部１７の各第１傾斜部２５ａが一対の取付突起部９における各本体突起部９ａの各第２傾斜部２５ｂに沿って徐々に押し付けられながら圧接摺動する。このため、緩衝部材１６の回転が徐々に重くなり、これに伴って時計バンド１０の回転も重くなる。
【００４１】
これにより、緩衝部材１６の回転が制動部２５によって制動されると共に、この緩衝部材１６によって時計バンド１０の回転も制動される。このため、落下による衝撃が制動部２５の制動によって緩衝され、時計バンド１０や腕時計ケース１に対する衝撃による影響が大幅に軽減される。
【００４２】
また、落下による衝撃によって時計バンド１０が連結部材１１を中心に押し広げられるように回転した際には、各アーム部１７の薄肉部１７ａにおける上側に位置する規制突起部２３ａがケース本体２の当接突起部２３ｃに上側から当接する。これにより、緩衝部材１６の押し上げ方向への回転が規制され、時計バンド１０の回転が規制される。このため、緩衝部材１６と時計バンド１０とが連結部材１１を中心に必要以上に回転するのを防ぐことができる。
【００４３】
このように、この腕時計のバンド取付構造によれば、バンド取付部８が設けられた腕時計ケース１と、この腕時計ケース１のバンド取付部８に端部１０ａが配置される時計バンド１０と、この時計バンド１０の端部１０ａを保持してバンド取付部８に配置される緩衝部材１６と、時計バンド１０の端部１０ａおよび緩衝部材１６をバンド取付部８に回転可能に取り付ける連結部材１１と、を備えていることにより、落下などの衝撃を緩和して、時計バンド１０や腕時計ケース１に対する衝撃による影響を軽減することができる。
【００４４】
すなわち、このバンド取付構造では、腕時計ケース１がその裏面を下に向けて落下して、その衝撃が時計バンド１０の端部１０ａおよびこの端部１０ａを保持する緩衝部材１６に加わった際に、その衝撃を緩衝部材１６によって緩衝することができるので、時計バンド１０や腕時計ケース１に対する衝撃による影響を軽減することができる。
【００４５】
この場合、緩衝部材１６は、腕時計ケース１のバンド取付部８における一対の取付突起部９に対向する一対のアーム部１７と、これら一対のアーム部１７の各端部を連結する連結部１８とを有し、これらがバンド取付部８から斜め下側に向けて突出しているので、時計バンド１０をバンド取付部８から斜め下側に向けてガイドすることができると共に、落下などの衝撃を緩衝部材１６によって腕時計ケース１よりも先に時計バンド１０と共に受け止めることができる。
【００４６】
また、この緩衝部材１６は、その連結部１８とばね棒２０との間に時計バンド１０を挟んで保持しているので、落下による衝撃によって時計バンド１０が連結部材１１を中心に押し広げられるように回転する際に、緩衝部材１６を時計バンド１０と共に回転させることができ、これにより緩衝部材１６の回転によって衝撃を緩和することができる。この場合、緩衝部材１６は、その各アーム部１７および連結部１８が時計バンド１０の上面側に露呈するので、デザイン的なアクセントとなり、外観的にもデザイン的にも好ましいものを提供できる。
【００４７】
また、この緩衝部材１６は、ポリアミド（ＰＡ）などの剛性が高く、かつ弾力性を有する合成樹脂で形成されていることにより、バンド取付部８の一対の取付突起部９と時計バンド１０の端部１０ａの両側面との間に配置される各アーム部１７に各薄肉部１７ａを形成しても、各薄肉部１７ａの強度を確保することができ、これにより耐衝撃性を高めることができる。
【００４８】
また、このバンド取付構造では、連結部材１１を中心に緩衝部材１６がバンド取付部８に対して回転する際に、バンド取付部８に対する緩衝部材１６の回転を制動する制動部２５を備えていることにより、衝撃によって時計バンド１０が連結部材１１を中心に押し広げられる方向に回転するときに、この時計バンド１０に伴って緩衝部材１６が回転するため、この緩衝部材１６の回転を制動部２５によって良好に制動することができるので、この制動部２５によって衝撃を確実にかつ良好に緩衝することができる。
【００４９】
この場合、制動部２５は、各アーム部１７の各薄肉部１７ａと各厚肉部１７ｂとの境界部に設けられた各第１傾斜部２５ａと、これら各第１傾斜部２５ａが対面する一対の取付突起部９における各本体突起部９ａの個所に設けられて各第１傾斜部２５ａが接離可能に圧接摺動するオーバーハング形状の各第２傾斜部２５ｂと、を備えている構成であることにより、衝撃による緩衝部材１６の回転を確実にかつ良好に制動することができる。
【００５０】
すなわち、この制動部２５は、衝撃によって緩衝部材１６が回転する際に、各アーム部１７の各第１傾斜部２５ａが一対の取付突起部９の各第２傾斜部２５に沿って徐々に押し付けられながら圧接摺動するため、緩衝部材１６の回転を徐々に重くし、これに伴って時計バンド１０の回転も重くすることができる。これにより、緩衝部材１６の回転を確実に制動することができるので、落下による衝撃を確実にかつ良好に緩和することができ、時計バンド１０や腕時計ケース１に対する衝撃の影響を大幅に軽減することができる。
【００５１】
（第２実施形態）
次に、図７〜図１２を参照して、この発明を腕時計に適用した第２実施形態について説明する。なお、図１〜図６に示された第１実施形態と同一部分には同一符号を付して説明する。
この腕時計は、図７〜図９に示すように、バンド取付構造の緩衝部材３０が第１実施形態と異なる構成であり、これ以外は第１実施形態とほぼ同じ構成になっている。
【００５２】
すなわち、このバンド取付構造の緩衝部材３０は、第１実施形態と同様、ポリアミド（ＰＡ）などの剛性が高く、弾力性を有する合成樹脂によって形成されている。この緩衝部材３０は、図７〜図９に示すように、腕時計ケース１に設けられた一対の取付突起部９の各対向面から外部に向けて斜め下側に傾斜して延びる一対のアーム部３１と、これら各アーム部３１の外部側に位置する各端部を連結する連結部３２とを有し、これら全体がほぼコ字形状に形成されている。
【００５３】
また、これら一対のアーム部３１は、図８および図９に示すように、一対の取付突起部９と時計バンド１０の端部１０ａの両側部との間に位置する個所が肉厚の薄い薄肉部３１ａに形成され、これ以外の個所が肉厚の厚い厚肉部３１ｂに形成され、この厚肉部３１ｂが一対の取付突起部９の外部に配置されるように形成されている。
【００５４】
この場合、各アーム部３１の各薄肉部３１ａには、図９および図１１に示すように、連結部材１１が挿入するアーム取付孔３３が、一対の取付突起部９の取付孔１２と時計バンド１０の端部１０ａのピン挿入孔１５とにそれぞれ同一軸上で対応して設けられている。これにより、各アーム部３１の各薄肉部３１ａは、一対の取付突起部９の対向面、つまりケース本体２の本体突起部９ａと時計バンドの端部１０ａの両側面との間に、挟み込まれた状態で、回転可能に取り付けられるように構成されている。
【００５５】
また、連結部３２は、図８〜図１０に示すように、バンド取付部８の一対の取付突起部９から斜め下側に延びた各アーム部３１の端部同士を連結するものであり、時計バンド１０が挿入するバンド取付孔３２ａが設けられた構成になっている。これにより、連結部３２は、そのバンド取付孔３２ａに時計バンド１０が挿入することにより、時計バンド１０の端部１０ａを保持するように構成されている。
【００５６】
この緩衝部材３０は、図９〜図１２に示すように、連結部３２のバンド取付孔３２ａに時計バンド１０が挿入されて、時計バンド１０の端部１０ａを保持し、この状態で各アーム部３１の各薄肉部３１ａが時計バンド１０の端部１０ａと共にバンド取付部８の一対の取付突起部９間に配置されることにより、各アーム部３１の各薄肉部３１ａが時計バンド１０の端部１０ａの両側面とバンド取付部８の一対の取付突起部９との間に挟まれるように構成されている。
【００５７】
また、この緩衝部材３０は、図９〜図１２に示すように、各アーム部３１の各薄肉部３１ａの各アーム取付孔３３が、一対の取付突起部９の各取付孔１２と時計バンド１０の端部１０ａのピン挿入孔１５とにそれぞれ同一軸上で対応した状態で、これら一対の取付突起部９の各取付孔１２、各薄肉部３１ａの各アーム取付孔３３、および時計バンド１０の端部１０ａのピン挿入孔１５に、連結部材１１の第１ねじ部１３が挿入し、この第１ねじ部１３に第２ねじ部１４が螺合して締め付けられることにより、時計バンド１０と共にバンド取付部８に取り付けられるように構成されている。
【００５８】
ところで、このようなバンド取付構造は、図９、図１１および図１２に示すように、連結部材１１を中心に緩衝部材３０が回転する際に、緩衝部材３０の回転を制動する制動部３４を備えている。この制動部３４は、各アーム部３１の各薄肉部３１ａにおける連結部材１１の周囲近傍に位置する個所に設けられた各第１傾斜部３４ａと、各薄肉部３１ａが対面する一対の取付突起部９の本体突起部９ａにおける連結部材１１の周囲近傍に位置する個所に設けられて各第１傾斜部３４ａが接離可能に圧接摺動するオーバーハング形状の各第２傾斜部３４ｂとを備えている。
【００５９】
これにより、制動部３４は、図９〜図１２に示すように、時計バンド１０が連結部材１１を中心に押し広げられる方向（図１０において反時計回り方向）に回転する際に、各アーム部３１の各第１傾斜部３４ａが一対の取付突起部９の各第２傾斜部３４ｂに沿って徐々に押し付けられながら圧接摺動することにより、緩衝部材３０の回転を徐々に重くするように制動すると共に、時計バンド１０の回転をも制動するように構成されている。
【００６０】
また、このバンド取付構造は、図８〜図１０に示すように、連結部材１１を中心に緩衝部材３０が回転する際に、その回転範囲を規制する回転規制部３５を備えている。この回転規制部３５は、緩衝部材３０の各アーム部３１における各厚肉部３１ｂの各先端部に設けられた各規制部３５ａと、一対の取付突起部９の各ケース本体２に設けられ、各規制部３５ａが回転移動して制動部３４による制動力が最大になった際に当接する当接部３５ｂと、を備えている。
【００６１】
これにより、回転規制部３５は、図８〜図１０に示すように、連結部材１１を中心に緩衝部材３０が時計バンド１０の端部１０ａと共に押し上げられる方向（図１０において反時計回り方向）に回転した際に、各アーム部３１の各厚肉部３１ｂの上端部に位置する規制部３５ａがケース本体２の当接部３５ｂに当接することにより、緩衝部材３０の押し上げ方向への回転を規制して、時計バンド１０の回転を規制するように構成されている。
【００６２】
次に、このような腕時計におけるバンド取付構造の作用について説明する。
まず、腕時計ケース１に時計バンド１０を取り付ける場合には、予め、時計バンド１０の端部１０ａを緩衝部材３０の連結部３２に設けられたバンド挿入孔３２ａに挿入させて、緩衝部材３０の各アーム部３１を時計バンド１０の端部１０ａの両側面に対応させる。
【００６３】
そして、時計バンド１０の端部１０ａを緩衝部材３０と共に腕時計ケース１に設けられたバンド取付部８の一対の取付突起部９間に配置する。このときには、緩衝部材３０の各アーム部３１における各薄肉部３１ａを一対の取付突起部９の各本体突起部９ａと時計バンド１０の端部１０ａの両側面との間に配置させて、各薄肉部３１ａの各アーム取付孔３３、一対の取付突起部９の各取付孔１２、および時計バンド１０の端部１０ａのピン挿入孔１５を同一軸上に対応させる。
【００６４】
この状態で、連結部材１１によって時計バンド１０を緩衝部材３０と共に腕時計ケース１のバンド取付部８に取り付ける。このときには、連結部材１１の第１ねじ部１３を一対の取付突起部９の各取付孔１２の一方から緩衝部材３０の一方のアーム部３１のアーム取付孔３３に挿入させ、この挿入した第１ねじ部１３の雌ねじ部１３ａを時計バンド１０のピン挿入孔１５、緩衝部材３０の他方のアーム部３１のアーム取付孔３３、および一対の取付突起部９の各取付孔１２の他方に挿入させる。
【００６５】
そして、連結部材１１の第２ねじ部１４の雄ねじ部１４ａを第１ねじ部１３の雌ねじ部１３ａに螺合させて締め付ける。すると、緩衝部材３０の各アーム部３１の各薄肉部３１ａが時計バンド１０の端部１０ａの両側面によってバンド取付部８の各本体突起部９ａに挟み付けられる。これにより、時計バンド１０の端部１０ａが緩衝部材３０と共に腕時計ケース１のバンド取付部８に取り付けられる。
【００６６】
このように時計バンド１０が取り付けられた腕時計ケース１がその裏面を下に向けて落下した際には、その落下による衝撃によって時計バンド１０が連結部材１１を中心に押し広げられるように回転する。このときには、緩衝部材３０も時計バンド１０と共に回転し、この緩衝部材３０によって落下による衝撃が緩和される。
【００６７】
すなわち、時計バンド１０が連結部材１１を中心に押し広げられるように回転する際には、緩衝部材３０の連結部３２のバンド挿入孔３２ａに時計バンド１０の端部１０ａが挿入されていることにより、緩衝部材３０が時計バンド１０を保持しているので、時計バンド１０と共に緩衝部材３０も連結部材１１を中心に回転する。
【００６８】
このときには、緩衝部材３０の各アーム部３１における各薄肉部３１ａが、一対の取付突起部９の各本体突起部９ａと時計バンド１０の端部１０ａにおける両側面との間に挟まれ、この状態で各アーム部３１の各薄肉部３１ａが連結部材１１を中心に図１０において反時計回り方向に回転するので、制動部３４によって緩衝部材３０の回転が制動される。
【００６９】
すなわち、この制動部３４は、時計バンド１０が連結部材１１を中心に押し広げられる方向（図１０において反時計回り方向）に回転する際に、各アーム部３１の各第１傾斜部３４ａが一対の取付突起部９の各第２傾斜部３４ｂに沿って徐々に押し付けられながら圧接摺動する。このため、緩衝部材３０の回転が徐々に重くなり、これに伴って時計バンド１０の回転も重くなる。
【００７０】
これにより、緩衝部材３０の回転が制動部３４によって制動されると共に、この緩衝部材３０によって時計バンド１０の回転も制動される。このため、落下による衝撃が制動部３４の制動によって緩衝され、時計バンド１０や腕時計ケース１に対する衝撃による影響が大幅に軽減される。
【００７１】
また、落下による衝撃によって時計バンド１０が連結部材１１を中心に押し広げられるように回転した際には、回転規制部３５によって緩衝部材３０の回転が規制される。すなわち、制動部３４による制動力が最大になった際に、各アーム部３１の各厚肉部３１ｂの上端部に位置する規制部３５ａがケース本体２の当接部３５ｂに当接する。
【００７２】
これにより、緩衝部材３０の押し上げ方向への回転が規制されて、時計バンド１０の回転が規制される。このため、緩衝部材３０と時計バンド１０とが連結部材１１を中心に必要以上に回転するのを防ぐことができる。この後は、緩衝部材３０が弾力性を有する合成樹脂で形成されているので、制動部３４の第２傾斜部３４ｂに圧接している緩衝部材３０の第１傾斜部３４ａが弾性復帰し、これにより緩衝部材３０が初期位置に向けて回転して元の位置に戻る。
【００７３】
このように、この第２実施形態における腕時計のバンド取付構造によれば、バンド取付部８が設けられた腕時計ケース１と、この腕時計ケース１のバンド取付部８に端部１０ａが配置される時計バンド１０と、この時計バンド１０の端部１０ａを保持してバンド取付部８に配置される緩衝部材３０と、時計バンド１０の端部１０ａおよび緩衝部材３０をバンド取付部８に回転可能に取り付ける連結部材１１と、を備えていることにより、第１実施形態と同様、落下などの衝撃を緩和して、時計バンド１０や腕時計ケース１に対する衝撃による影響を軽減することができる。
【００７４】
すなわち、このバンド取付構造では、腕時計ケース１がその裏面を下に向けて落下して、その衝撃が時計バンド１０の端部１０ａおよびこの端部１０ａを保持する緩衝部材３０に加わった際に、第１実施形態と同様、その衝撃を緩衝部材３０によって緩衝することができるので、時計バンド１０や腕時計ケース１に対する衝撃による影響を軽減することができる。
【００７５】
この場合、緩衝部材３０は、腕時計ケース１のバンド取付部８における一対の取付突起部９に対向する一対のアーム部３１と、これら一対のアーム部３１の各端部を連結する連結部３２とを有し、これらがバンド取付部８から斜め下側に向けて突出しているので、第１実施形態と同様、時計バンド１０をバンド取付部８から斜め下側に向けてガイドすることができると共に、落下などの衝撃を腕時計ケース１よりも先に時計バンド１０と共に受け止めることができる。
【００７６】
また、この緩衝部材３０は、その連結部３２にバンド取付孔３２が設けられ、このバンド取付孔３２ａに時計バンド１０を挿入させることにより、時計バンド１０を保持しているので、第１実施形態と同様、落下による衝撃によって時計バンド１０が連結部材１１を中心に押し広げられるように回転する際に、緩衝部材３０を時計バンド１０と共に回転させることができ、の緩衝部材３０の回転によって衝撃を緩和することができる。
【００７７】
この場合にも、緩衝部材３０は、第１実施形態と同様、ポリアミド（ＰＡ）などの剛性が高く、かつ弾力性を有する合成樹脂で形成されていることにより、バンド取付部８の一対の取付突起部９と時計バンド１０の端部１０ａの両側面との間に配置される各アーム部３１に各薄肉部３１ａを形成しても、各薄肉部３１ａの強度を確保することができ、これにより各薄肉部３１ａに制動部３４の第１傾斜部３４ａを設けて、緩衝部材３０の回転を良好に制動することができる。
【００７８】
また、このバンド取付構造では、連結部材１１を中心に緩衝部材３０がバンド取付部８に対して回転する際に、バンド取付部８に対する緩衝部材３０の回転を制動する制動部３４を備えていることにより、衝撃によって時計バンド１０が連結部材１１を中心に押し広げられる方向に回転するときに、この時計バンド１０に伴って緩衝部材３０が回転するため、この緩衝部材３０の回転を制動部３４によって良好に制動することができるので、この制動部３４によって衝撃を緩衝することができる。
【００７９】
この場合、制動部３４は、連結部材１１の周囲近傍に位置する個所の緩衝部材３０の各アーム部３１に設けられた第１傾斜部３４ａと、連結部材１１の周囲近傍に位置する個所のバンド取付部８の一対の取付突起部９に設けられて第１傾斜部３４ａが接離可能に圧接摺動するオーバーハング形状の第２傾斜部３４ｂとを備えている構成であることにより、衝撃による緩衝部材３０の回転を確実にかつ良好に制動することができる。
【００８０】
すなわち、この制動部３４は、衝撃によって緩衝部材３０が回転する際に、各アーム部３１の各第１傾斜部３４ａが一対の取付突起部９の各第２傾斜部３４ｂに沿って徐々に押し付けられながら圧接摺動するため、緩衝部材３０の回転を徐々に重くし、これに伴って時計バンド１０の回転も重くすることができる。これにより、緩衝部材３０の回転を確実に制動することができるので、落下による衝撃を確実にかつ良好に緩和することができ、時計バンド１０や腕時計ケース１に対する衝撃の影響を大幅に軽減することができる。
【００８１】
なお、上述した第２実施形態では、緩衝部材３０の各アーム部３１に設けられた第１傾斜部３４ａと、バンド取付部８の一対の取付突起部９に設けられた第２傾斜部３４ｂとによって、制動部３４を構成した場合について述べたが、これに限らず、例えば図１３〜図１５に示す変形例のように構成しても良い。
【００８２】
すなわち、この変形例の制動部４０は、図１３〜図１５に示すように、連結部材１１の周囲近傍に位置する個所の緩衝部材３０の各アーム部３１にそれぞれ設けられて緩やかに傾斜する山形形状の第１突起部４０ａと、連結部材１１の周囲近傍に位置する個所のバンド取付部８の一対の取付突起部９にそれぞれ設けられて第１突起部４０ａが接離可能に乗り上げて圧接する緩やかに傾斜する山形形状の第２突起部４０ｂとを備えている。
【００８３】
この場合、第１突起部４０ａは、図１３および図１５（ａ）に示すように、各アーム部３１の各薄肉部３１ａにそれぞれ一対の取付突起部９に向けて突出して設けられている。また、第２突起部４０ｂは、図１３および図１５（ｂ）に示すように、一対の取付突起部９の各本体突起部９ａにそれぞれ各アーム部３１の各薄肉部３１ａに向けて突出して設けられている。
【００８４】
これにより、この制動部４０は、図１３〜図１５に示すように、時計バンド１０が連結部材１１を中心に押し広げられる方向に回転する際に、各アーム部３１の各第１突起部４０ａが一対の取付突起部９の各第２突起部４０ｂに徐々に乗り上げながら圧接摺動することにより、緩衝部材３０の回転を徐々に重くするように制動すると共に、時計バンド１０の回転をも制動するように構成されている。
【００８５】
このような変形例のバンド取付構造によれば、衝撃によって緩衝部材３０が回転する際に、各アーム部３１の各第１突起部４０ａが一対の取付突起部９の各第２突起部４０ｂに徐々に乗り上げて押し合いながら圧接摺動するため、緩衝部材３０の回転を制動部４０によって徐々に重くし、これに伴って時計バンド１０の回転も重くすることができる。
【００８６】
これにより、このバンド取付構造においても、第２実施形態と同様、緩衝部材３０の回転を制動部４０によって確実にかつ良好に制動することができるので、落下による衝撃を確実にかつ良好に緩和することができる。このため、時計バンド１０や腕時計ケース１に対する衝撃による影響を大幅に軽減することができる。
【００８７】
なおまた、上述した第２実施形態およびその変形例では、緩衝部材３０の連結部３２に、時計バンド１０が挿入するバンド取付孔３２ａを設けた場合について述べたが、これに限らず、例えば緩衝部材３０の連結部は、バンド取付孔３２ａの下側を開放させて、第１実施形態のように、時計バンド１０の上面のみを押えるように構成されていても良い。
【００８８】
また、上述した第１、第２の各実施形態およびその変形例では、時計バンド１０がウレタン樹脂などの軟質の合成樹脂によって形成されている場合について述べたが、これに限らず、例えば時計バンドは金属製であっても良い。
【００８９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９０】
（付記）
請求項１に記載の発明は、バンド取付部が設けられたケースと、このケースの前記バンド取付部に端部が配置されるバンドと、このバンドの前記端部を保持して前記バンド取付部に配置される緩衝部材と、前記バンドの前記端部および前記緩衝部材を前記バンド取付部に回転可能に取り付ける連結部材と、を備えていることを特徴とするバンド取付構造である。
【００９１】
請求項２に記載の発明は、請求項１に記載のバンド取付構造において、前記緩衝部材は、前記バンド取付部と前記バンドの前記端部における両側部との間に挟まる一対のアーム部と、これら一対のアーム部が前記バンド取付部から突出する端部同士を連結する連結部とを有し、前記一対のアーム部および前記連結部が前記バンド取付部から斜め下側に向けて突出していることを特徴とするバンド取付構造である。
【００９２】
請求項３に記載の発明は、請求項１または請求項２に記載のバンド取付構造において、前記緩衝部材は、剛性が高く、かつ弾力性を有する合成樹脂で形成されていることを特徴とするバンド取付構造である。
【００９３】
請求項４に記載の発明は、請求項１〜請求項３のいずれかに記載のバンド取付構造において、前記連結部材を中心に前記緩衝部材が前記バンド取付部に対して回転する際に、前記バンド取付部に対する前記緩衝部材の回転を制動する制動部を備えていることを特徴とするバンド取付構造である。
【００９４】
請求項５に記載の発明は、請求項４に記載のバンド取付構造において、前記制動部は、前記緩衝部材に設けられた第１傾斜部と、前記バンド取付部に設けられて前記第１傾斜部が接離可能に圧接摺動する第２傾斜部とを備えていることを特徴とするバンド取付構造である。
【００９５】
請求項６に記載の発明は、請求項４に記載のバンド取付構造において、前記制動部は、前記連結部材の近傍に位置する個所の前記緩衝部材に設けられた第１突起部と、前記連結部材の近傍に位置する個所の前記バンド取付部に設けられて前記第１突起部が接離可能に乗り上げる第２突起部とを備えていることを特徴とするバンド取付構造である。
【００９６】
請求項７に記載の発明は、請求項１〜請求項６のいずれかに記載のバンド取付構造を備えていることを特徴とする腕時計である。
【符号の説明】
【００９７】
１  腕時計ケース
２  ケース本体
３  ベゼル
６  時計モジュール
８  バンド取付部
９  一対の取付突起部
１０  時計バンド
１０ａ  時計バンドの端部
１１  連結部材
１６、３０  緩衝部材
１７、３１  アーム部
１８、３２  連結部
２０  ばね棒
２３、３５  回転規制部
２５、３４、４０  制動部
２５ａ、３４ａ  第１傾斜部
２５ｂ、３４ｂ  第２傾斜部
３２ａ  バンド取付孔
４０ａ  第１突起部
４０ｂ  第２突起部
【図１】
0006020970.tif 000002
【図２】
0006020970.tif 000003
【図３】
0006020970.tif 000004
【図４】
0006020970.tif 000005
【図５】
0006020970.tif 000006
【図６】
0006020970.tif 000007
【図７】
0006020970.tif 000008
【図８】
0006020970.tif 000009
【図９】
0006020970.tif 000010
【図１０】
0006020970.tif 000011
【図１１】
0006020970.tif 000012
【図１２】
0006020970.tif 000013
【図１３】
0006020970.tif 000014
【図１４】
0006020970.tif 000015
【図１５】
0006020970.tif 000016